(57)【要約】【課題】  ケーブル側は簡単な構成で、確実にコネクタの接続先へ誘導でき、誤接続を作業者に知らせて正しい接続先へ誘導できる接続誘導システムを提供する。【解決手段】  ケーブルによるコネクタ間の接続を誘導する接続誘導システムにおいて、  コネクタの接続誘導先を指示する接続制御部と、接続制御部によって、接続誘導される機器の電源がＯＮ／ＯＦＦ制御される電源スイッチと、ケーブルの接続誘導先を示す第１の表示部と、ケーブルが正しく接続された場合を示す第２の表示部と、ケーブルが誤接続された場合を示す第３の表示部とを有し、接続誘導される機器は、電源スイッチで電源がＯＮになった場合に第１の表示部を制御する接続管理部を有する。【選択図】      図１
2015176564.tif 000002
【特許請求の範囲】
【請求項１】
ケーブルによるコネクタ間の接続を誘導する接続誘導システムにおいて、
前記コネクタの接続誘導先を指示する接続制御部と、
前記接続制御部によって、接続誘導される機器の電源がＯＮ／ＯＦＦ制御される電源スイッチと、
前記ケーブルの接続誘導先を示す第１の表示部と、
前記ケーブルが正しく接続された場合を示す第２の表示部と、
前記ケーブルが誤接続された場合を示す第３の表示部と、
を有し、
前記接続誘導される機器は、前記電源スイッチで電源がＯＮになった場合に前記第１の表示部を制御する接続管理部を有することを特徴とする接続誘導システム。
【請求項２】
前記接続制御部は、
前記接続管理部が、前記第１の表示部と、
前記第２の表示部と、
前記第３の表示部と、
をコネクタの接続状態に応じて表示するよう制御することを特徴とする請求項１に記載の接続誘導システム。
【請求項３】
前記第１の表示部と前記第２の表示部は一つの発光部品であり、その駆動方法が異なることを特徴とする請求項１または２に記載の接続誘導システム。
【請求項４】
前記接続管理部は、デイジーチェーンで接続される装置に備えられていることを特徴とする請求項１から３のうち１に記載の接続誘導システム。
【請求項５】
ケーブルによるコネクタ間の接続を誘導する接続誘導システムの接続誘導方法において、
前記コネクタの接続誘導先を指示するステップと、
前記接続誘導先を指示するステップによって、接続誘導される機器の電源がＯＮ／ＯＦＦ制御されるステップと、
前記ケーブルの接続誘導先を示すステップと、
前記ケーブルが正しく接続された場合を示すステップと、
前記ケーブルが誤接続された場合を示すステップと、
を有し、
前記接続誘導される機器は、前記電源スイッチで電源がＯＮになった場合に前記ケーブルの接続誘導先を示すステップを制御するステップを有することを特徴とする接続誘導方法。
【請求項６】
前記コネクタを制御するステップは、
接続管理部が、
前記ケーブルの接続誘導先を示すステップと、
前記ケーブルが正しく接続された場合を示すステップと、
前記ケーブルが誤接続された場合を示すステップと、
をコネクタの接続状態に応じて表示するよう制御するステップを有することを特徴とする請求項５に記載の接続誘導方法。
【発明の詳細な説明】
【技術分野】
【０００１】
本発明は、装置設置時に装置間をケーブルで接続する接続誘導システムおよび接続誘導方法に関する。
【背景技術】
【０００２】
複数の装置をケーブル等で相互に接続する場合、装置のマニュアルでは、図や写真を用いてケーブルの接続位置を示していた。複数の同一形状の筐体を接続する場合や、同一形状のコネクタが複数ある場合には、作業者は、マニュアルを参照しながら接続を行うが、接続箇所が多数存在すると間違った接続をする場合があった。
【０００３】
上記に関連する技術として、特許文献１には、ケーブル等の接続手段を誤接続なく、短時間で正確に接続するため、複数の接続部に固有周波数を受信する受信装置を固設し、対応するケーブルには固有周波数を出力するワイヤレス無線装置を設けることにより、接続部を点灯あるいは点滅させて接続部の位置を知らせる技術が開示されている。
【０００４】
また、特許文献２には、ケーブルを正しく接続するため、ケーブルの両端に接続されるコネクタを対応づけた接続情報を記憶する記憶部とコネクタと対応付けられたスイッチの操作を検出する検出部と接続情報で対応づけられたコネクタの両端に発光部を設ける技術が開示されている。
【０００５】
また、特許文献３には、ケーブルが接続された際にＬＥＤを点灯／消灯させるため、スイッチにより電流の向きを切り替える技術が開示されている。
【先行技術文献】
【特許文献】
【０００６】
【特許文献１】特開２００１−１２０４９３号公報
【特許文献２】特開２００９−１１６７８４号公報
【特許文献３】特開２００９−２７２０４９号公報
【発明の概要】
【発明が解決しようとする課題】
【０００７】
しかしながら、特許文献１は、無線の送受信装置が必要なため、ケーブル側にも複雑な構成が必要となる、という課題があった。
【０００８】
また、特許文献２は、ケーブルを正しく接続する手段は開示されているが、誤接続の場合に、何も表示する手段がない、という課題があった。
【０００９】
また、特許文献３は、ＬＥＤの駆動装置であって、ケーブルの接続箇所を示すものではない、という課題があった。
【００１０】
本発明の目的は、この点を鑑みたものであり、ケーブル側は簡単な構成で、確実にコネクタの接続先へ誘導でき、誤接続の場合は、誤接続を作業者に知らせて正しい接続先へ誘導できる接続誘導システムを提供することにある。
【課題を解決するための手段】
【００１１】
本発明では、上記課題を解決するために、ケーブルによるコネクタ間の接続を誘導する接続誘導システムにおいて、コネクタの接続誘導先を指示する接続制御部と、接続制御部によって、接続誘導される機器の電源がＯＮ／ＯＦＦ制御される電源スイッチと、ケーブルの接続誘導先を示す第１の表示部と、ケーブルが正しく接続された場合を示す第２の表示部と、ケーブルが誤接続された場合を示す第３の表示部とを有し、接続誘導される機器は、電源スイッチで電源がＯＮになった場合に第１の表示部を制御する接続管理部を有することを特徴としている。
【００１２】
また、本発明では、上記課題を解決するために、ケーブルによるコネクタ間の接続を誘導する接続誘導システムの接続誘導方法において、コネクタの接続誘導先を指示するステップと、接続誘導先を指示するステップによって、接続誘導される機器の電源がＯＮ／ＯＦＦ制御されるステップと、ケーブルの接続誘導先を示すステップと、ケーブルが正しく接続された場合を示すステップと、ケーブルが誤接続された場合を示すステップとを有し、接続誘導される機器は、電源スイッチで電源がＯＮになった場合にケーブルの接続誘導先を示すステップを制御するステップを有することを特徴としている。
【発明の効果】
【００１３】
本発明によれば、ケーブル側は簡単な構成で、確実にコネクタの接続先へ誘導でき、誤接続の場合は、誤接続を作業者に知らせて正しい接続先へ誘導できる接続誘導システムを提供することができる。
【図面の簡単な説明】
【００１４】
【図１】本発明の実施の形態における接続誘導システムの構成を示すブロック図である。
【図２】本発明の実施の形態における接続誘導システムの接続完了時の構成を示すブロック図である。
【図３】本発明の実施の形態における接続誘導システムのコネクタのケーブルとの接続部分の構成を示す図である。
【図４】本発明の実施の形態における接続誘導システムの第１の接続ケーブルが正しく接続された図である。
【図５】本発明の実施の形態における接続誘導システムの第１の接続ケーブルが誤って接続された図である。
【図６】本発明の実施の形態における接続誘導システムの制御装置の動作を示すフローチャートである。
【図７】本発明の実施の形態における接続誘導システムの第１の拡張装置の動作を示すフローチャートである。
【図８】本発明の実施の形態における接続誘導システムの制御装置と第１の拡張装置の接続完了時の状態を示す図である。
【図９】本発明の実施の形態における接続誘導システムの制御装置と第１の拡張装置と第２の拡張装置の接続時の状態を示す図である。
【発明を実施するための形態】
【００１５】
以下、本発明の実施形態について図面を参照して詳細に説明する。
（実施の形態）
図１、図２、図３を用いて、本実施形態における接続誘導システムの構成を説明する。
【００１６】
図１は、本実施形態の構成を示すブロック図である。図２は、本実施形態の接続完了時の構成を示すブロック図である。図３は、コネクタのケーブルとの接続部分の構成である。
【００１７】
図１で、制御装置１１、第１の拡張装置１２、第２の拡張装置１３からなる装置において、第１の拡張装置１２、第２の拡張装置１３の電源ラインは、電源タップ２０から電力を供給されている。制御装置１１は、コネクタ１とコネクタ２と接続制御部１６を備えている。電源タップ２０は、第１の電源スイッチ１４、第２の電源スイッチ１５を備え、制御装置１１の接続制御部１６からの制御信号によって、第１の電源スイッチ１４、第２の電源スイッチ１５により、第１の拡張装置１２、第２の拡張装置１３の電源をＯＮ／ＯＦＦすることができる。第１の電源スイッチ１４、第２の電源スイッチ１５は、リレーやサイリスタ等が用いられている。
【００１８】
制御装置１１の接続制御部１６は、コネクタ１とコネクタ２に接続されて接続状態を制御し、また、電源タップ２０の第１の電源スイッチ１４、第２の電源スイッチ１５を制御する。第１の拡張装置１２は、コネクタ３、コネクタ４、コネクタ５、コネクタ６を備え、各コネクタは、第１の接続管理部１７に接続されて、接続状態を管理されている。第２の拡張装置１３は、コネクタ７、コネクタ８、コネクタ９、コネクタ１０を備え、各コネクタは、第２の接続管理部１８に接続されて、接続状態を管理されている。ケーブルで接続された場合、第１の接続管理部１７と第２の接続管理部１８は、制御装置１の接続制御部１６からの指示により、各コネクタのＬＥＤの表示を制御する。
【００１９】
各装置は、デイジーチェーンで接続されており、各コネクタとケーブルの接続完了時には、図２のように接続される。図２では、制御装置１１と第１の拡張装置１２は、コネクタ１とコネクタ３を第１の接続ケーブル３１により接続され、コネクタ２とコネクタ５を第２の接続ケーブル３２によって接続される。第１の拡張装置１２と第２の拡張装置１３は、コネクタ４とコネクタ７を第３の接続ケーブル３３により接続され、コネクタ６とコネクタ９を第４の接続ケーブル３４によって接続される。
【００２０】
また、それぞれのコネクタには、図３に示すように、通信が行われている事を示すＬｉｎｋ  ＬＥＤと、異常を示すＦａｕｌｔ  ＬＥＤが備わっている。
【００２１】
図１から図９を用いて、本実施形態における接続誘導システムの動作を説明する。
【００２２】
図４は、本実施形態の第１の接続ケーブルが正しく接続された図である。図５は、本実施形態の第１の接続ケーブルが誤って接続された図である。図６は、本実施形態における接続誘導システムの制御装置の動作を示すフローチャートである。図７は、本実施形態における接続誘導システムの拡張装置の動作を示すフローチャートである。図８は、本実施形態における接続誘導システムの制御装置と第１の拡張装置の接続完了時の状態を示す図である。図９は、本実施形態における接続誘導システムの制御装置と第１の拡張装置と第２の拡張装置の接続時の状態を示す図である。
【００２３】
各装置の設置時は、図１で示したように、制御装置１１と第１の拡張装置１２、および第１の拡張装置１２と第２の拡張装置１３は、まだ接続ケーブルで接続されていない状態である。
【００２４】
図６において、先ず作業者は制御装置１１の電源を入れる。制御装置１１は、第１の拡張装置１２と第１の接続ケーブル３１で接続されていない為、第１の拡張装置１２の電源をＯＮにし（Ｓ１０１）、第１の拡張装置１２と第１の接続ケーブル３１との接続コネクタを作業者に示すために、コネクタ１のＬｉｎｋ  ＬＥＤを点滅させる（Ｓ１０２）。
【００２５】
すると、コネクタ１のＬｉｎｋ  ＬＥＤのみが点滅している状態となり、作業者は、コネクタ１に第１の接続ケーブル３１を接続する事が出来る。ここで作業者が間違えて、コネクタ１に間違ったケーブルを接続してしまった場合は（Ｓ１０３のＮｏ）、制御装置１１は、コネクタ１のＦａｕｌｔ  ＬＥＤを点灯させ（Ｓ１０４）、間違った接続である事を作業者に示し、接続の修正を促す。コネクタ１には、接続ケーブル３１を認証する回路（例えば、コネクタ１に接続ケーブル３１を接続すると特定のコネクタ内のピンが短絡するなど）が設けられており、制御装置１１側で、ケーブルの正誤を認識できるよう構成されている。
【００２６】
コネクタ１に、第１の接続ケーブル３１が正しく接続された場合は（Ｓ１０３のＹｅｓ）、制御装置１１は、コネクタ１のＬｉｎｋ  ＬＥＤを点滅から点灯に変化させ、Ｆａｕｌｔ
ＬＥＤが点灯している場合は消灯して、正しく接続された事を作業者に示す（Ｓ１０５）。
【００２７】
この後、コネクタ１とコネクタ３が、第１の接続ケーブル３１で正しく接続されると、制御装置１１は、次の接続コネクタを作業者に示す為に、コネクタ２とコネクタ５のＬｉｎｋ  ＬＥＤを点滅させる（Ｓ１０６）。
【００２８】
制御装置１１によって、第１の拡張装置１２に電源を供給する第１の電源スイッチ１４が入れられると、第１の拡張装置１２の第１の接続管理部１７は、電源ＯＮを検出する（Ｓ２０１）。次に、制御装置１１と接続されていない為、制御装置１１との第１の接続ケーブル３１の接続コネクタを作業者に示すために、第１の接続管理部１７は、コネクタ３のＬｉｎｋ  ＬＥＤを点滅させる（Ｓ２０２）。
【００２９】
すると、コネクタ１とコネクタ３のＬｉｎｋ  ＬＥＤのみが点滅している状態となり、作業者は、図４の様にコネクタ１とコネクタ３を第１の接続ケーブル３１で接続する事が出来る。
【００３０】
もし、ここで作業者が間違えて、図５の様に第１の接続ケーブル３１をコネクタ１とコネクタ６に接続してしまった場合は（Ｓ２０３のＮｏ）、第１の接続管理部１７は、制御装置１１の接続制御部１６からの通知によりコネクタ６のＦａｕｌｔ  ＬＥＤを点灯させ（Ｓ２０４）、間違った接続である事を作業者に示し、接続の修正を促す。
【００３１】
図４の様に、コネクタ１とコネクタ３が、第１の接続ケーブル３１で正しく接続された場合は（Ｓ２０３のＹｅｓ）、第１の接続管理部１７は、制御装置１１の接続制御部１６からの指示により、コネクタ３のＬｉｎｋ  ＬＥＤを点滅から点灯に変化させ、Ｆａｕｌｔ
ＬＥＤが点灯している場合は消灯して、正しく接続された事を作業者に示す（Ｓ２０５）。
【００３２】
コネクタ１とコネクタ３が、第１の接続ケーブル３１で正しく接続されると、制御装置１１の接続制御部１６からの指示により、第１の接続管理部１７は、次の接続コネクタを作業者に示す為にコネクタ２とコネクタ５のＬｉｎｋ  ＬＥＤを点滅させる（Ｓ２０６）。
【００３３】
以下同様に、図８の様にコネクタ２とコネクタ５を第２の接続ケーブル３２で接続する事ができる。ここで作業者が間違えたコネクタとの接続を行ってしまった場合は、制御装置１１は、間違えたコネクタのＦａｕｌｔ  ＬＥＤを点灯させ、間違った接続である事を作業者に示し、接続の修正を促す。正しく接続された場合は、制御装置１１は、コネクタ２とコネクタ５のＬｉｎｋ  ＬＥＤを点滅から点灯に変化させるよう指示を出し、正しく接続された事を作業者に示す。
【００３４】
コネクタ２とコネクタ５が第２の接続ケーブル３２で正しく接続されると、制御装置１１は、第２の拡張装置１３を接続する為に、電源タップ２０の第２の電源スイッチ１５をＯＮし、第２の拡張装置１３の電源をＯＮにする。そして、次の接続コネクタを作業者に示す為に、コネクタ４のＬｉｎｋ  ＬＥＤを点滅させる。
【００３５】
制御装置１１によって電源を入れられた第２の拡張装置１３は、制御装置１１および第１の拡張装置１２と接続されていない為、接続するための接続ケーブルの接続コネクタを作業者に示すために、コネクタ７のＬｉｎｋ  ＬＥＤを点滅させる。
【００３６】
すると、コネクタ４とコネクタ７のＬｉｎｋ  ＬＥＤのみが点滅している状態となり、作業者は、図９の様にコネクタ４とコネクタ７を接続ケーブル３で接続する事が出来る。
【００３７】
作業者が間違えたコネクタとの接続を行ってしまった場合は、間違えたコネクタのＦａｕｌｔ  ＬＥＤが点灯するので、間違った接続である事が分かり、接続を修正することができる。正しく接続された場合は、コネクタ４とコネクタ７のＬｉｎｋ  ＬＥＤを点滅から点灯に変化するので、正しく接続された事が分かる。同様の作業で、順にコネクタの接続を行うことが可能となり、最終的に、図２に示すように接続ケーブルをコネクタに接続することができる。
【００３８】
このように、コネクタ同士が接続ケーブルで正しく接続されると、制御装置１１は、次の接続コネクタを作業者に示す為に、コネクタのＬｉｎｋ  ＬＥＤを点滅させる。
【００３９】
作業者は、コネクタを接続ケーブルで接続する事ができ、万一、間違えた場合でも、間違えたコネクタのＦａｕｌｔ  ＬＥＤが点灯するので、接続の修正を行うことができる。また、正しく接続された場合は、Ｌｉｎｋ  ＬＥＤが点滅から点灯に変化するので、正しく接続された事を確認することができる。
【００４０】
上述のように同様の作業を繰り返すことにより、拡張装置が何台に増えようとも、作業者は間違えずに接続ケーブルを接続できるようになる。
【００４１】
以上説明してきたように、ケーブル側は簡単な構成で、確実にコネクタの接続先へ誘導でき、誤接続を作業者に知らせて正しい接続先へ誘導できる接続誘導システムを提供することができる。
【００４２】
尚、本願発明は、上述の実施の形態に限定されるものではなく、本願発明の要旨を逸脱しない範囲で種々変更、変形して実施することが出来る。例えばＬｉｎｋ  ＬＥＤとＦａｕｌｔ  ＬＥＤで色を変えると分かり易くなり、作業者の効率が向上する。また誤接続した場合にはＦａｕｌｔ  ＬＥＤの点滅以外に警告音を出すなどしてもよい。
【産業上の利用可能性】
【００４３】
本発明は、複数の装置間のコネクタをケーブルで接続する装置に利用可能である。
【符号の説明】
【００４４】
１、２、３、４、５、６、７、８、９、１０    コネクタ
１１    制御装置
１２    第１の拡張装置
１３    第２の拡張装置
１４    第１の電源スイッチ
１５    第２の電源スイッチ
１６    接続制御部
１７    第１の接続管理部
１８    第２の接続管理部
【図１】
2015176564.tif 000003
【図２】
2015176564.tif 000004
【図３】
2015176564.tif 000005
【図４】
2015176564.tif 000006
【図５】
2015176564.tif 000007
【図６】
2015176564.tif 000008
【図７】
2015176564.tif 000009
【図８】
2015176564.tif 000010
【図９】
2015176564.tif 000011